(57)【要約】【課題】ＣＯ排出量、トルク変動特性、燃料消費量などのエンジン性能を向上させ得る内燃機関を提供すること。【解決手段】この内燃機関１は、シリンダ２と、シリンダ２内に往復可能に収容されるピストン３と、シリンダ２の燃焼室に燃料を噴射するインジェクタ６と、シリンダ２内の燃料に点火する点火プラグ７とを有する。また、この内燃機関１は、吸気行程中にてシリンダ２内に吸気流を形成して吸気と燃料とを混合する。この内燃機関１では、インジェクタ６が第一燃料噴射孔と少なくとも一対の第二燃料噴射孔とを有する。そして、第一燃料噴射孔が点火プラグ７の着火点の近傍に燃料を噴射する。また、一対の第二燃料噴射孔が点火プラグ７の着火点の直下を跨ぐ二方向であってシリンダ２内の吸気流の接線方向かつ流れ方向に沿って燃料を噴射する。【選択図】        図１
2008169695.tif 000002
【特許請求の範囲】
【請求項１】
シリンダと、前記シリンダ内に往復可能に収容されるピストンと、前記シリンダの燃焼室に燃料を噴射するインジェクタと、前記シリンダ内の燃料に点火する点火プラグとを有すると共に、吸気行程中にて前記シリンダ内に吸気流を形成して吸気と燃料とを混合する内燃機関であって、
前記インジェクタが第一燃料噴射孔と少なくとも一対の第二燃料噴射孔とを有し、且つ、前記第一燃料噴射孔が前記点火プラグの着火点の近傍に燃料を噴射すると共に、一対の前記第二燃料噴射孔が前記点火プラグの着火点の直下を跨ぐ二方向であって前記シリンダ内の吸気流の接線方向かつ流れ方向に沿って燃料を噴射することを特徴とする内燃機関。
【請求項２】
一対の前記第二燃料噴射孔の噴霧形状が、燃料の噴射方向に直交する平面の断面視にて、前記シリンダの径方向に延在する幅広な断面形状を有する請求項１に記載の内燃機関。
【請求項３】
前記インジェクタが前記シリンダの側壁側に配置されて前記シリンダの中心方向に燃料を噴射する請求項１または２に記載の内燃機関。
【請求項４】
前記第二燃料噴射孔がスリット形状を有する請求項１〜３のいずれか一つに記載の内燃機関。
【請求項５】
前記第二燃料噴射孔が配列された複数のピン孔により構成される請求項１〜３のいずれか一つに記載の内燃機関。
【発明の詳細な説明】
【技術分野】
【０００１】
この発明は、内燃機関に関し、さらに詳しくは、ＣＯ排出量、トルク変動特性、燃料消費量などのエンジン性能を向上させ得る内燃機関に関する。
【背景技術】
【０００２】
筒内直噴式のガソリンエンジンでは、ＣＯ排出量、トルク変動特性、燃料消費量などのエンジン性能を向上すべき要請がある。これらのエンジン性能は、一般に混合気の均質性を高めることにより実現される。
【０００３】
例えば、ポート噴射式のガソリンエンジンでは、吸気ポートにて予め燃料が噴射され、この燃料がシリンダ内に流入する吸気の流速によりせん断されて混合されるため、混合気の均質性がきわめて良好である。一方、筒内直噴式のガソリンエンジンでは、すでにシリンダ内に流入した吸気の流動（吸気流）を利用して燃料の拡散が行われるため、混合気の均質性が悪化し易い。このため、筒内直噴式のガソリンエンジンでは、ポート噴射式のガソリンエンジンと比較して、燃料と吸気との混合性（均質性）が低く、その燃焼効率が悪い。
【０００４】
また、エンジンの暖気前や冷間始動時には、エンジンの触媒温度を上昇させて排気エミッションを低減させる必要がある。この場合、燃料の直噴を活用した始動時の点火遅角制御は、触媒の暖気にあたり非常に有力な手段となる。しかしながら、燃料噴霧の形状が大きな制約を受けるため、混合気の均質性との両立が困難である。
【０００５】
また、ピストンに向けて燃料を噴射することによりシリンダ内の混合気を巻き上げて成層を形成する構成や、点火プラグの周辺に貫徹力の弱い（噴霧長の短い）燃料噴霧を直接的に噴射して弱成層の混合気を形成する構成もある。しかしながら、かかる構成では、強い貫徹力の燃料噴霧がシリンダ内の吸気流に噴射されるため、混合気の均質性が悪化し易い。
【０００６】
なお、混合気の均質性の課題に関する従来の内燃機関には、特許文献１に記載される技術が知られている。従来の内燃機関（筒内燃料噴射型内燃機関）は、シリンダブロックにおけるシリンダの頂部を塞ぐシリンダヘッドに、前記シリンダ内に下向きに開口する吸気ポート及び点火栓を設けて成り、更に、前記シリンダヘッドのうち前記吸気ポート側の部位に前記シリンダ内に向かって斜め下向きに燃料を噴射するようにした燃料噴射弁を設け、この燃料噴射弁による燃料噴射の時期を、中速以下の低回転域においては吸気行程のうち下死点に近づけるように遅角し、中速以上の高回転域においては吸気行程のうち上死点に近づけるように進角して成る筒内燃料噴射型内燃機関において、前記燃料噴射弁における燃料噴射口を、少なくとも、前記シリンダの軸線に対する下向きの噴射角度を小さくした第１燃料噴射口と、前記シリンダの軸線に対する下向きの噴射角度を大きくした第２燃料噴射口とに構成し、更に、前記低回転域において前記第１燃料噴射口及び前記第２燃料噴射口から燃料噴射し、前記高回転域において前記第１燃料噴射口からの燃料噴射を停止し、前記第２燃料噴射口から燃料噴射するように構成したことを特徴とする。
【０００７】
【特許文献１】特開２００５−４２５８６号公報
【発明の開示】
【発明が解決しようとする課題】
【０００８】
この発明は、ＣＯ排出量、トルク変動特性、燃料消費量などのエンジン性能を向上させ得る内燃機関を提供することを目的とする。
【課題を解決するための手段】
【０００９】
上記目的を達成するため、この発明にかかる内燃機関は、シリンダと、前記シリンダ内に往復可能に収容されるピストンと、前記シリンダの燃焼室に燃料を噴射するインジェクタと、前記シリンダ内の燃料に点火する点火プラグとを有すると共に、吸気行程中にて前記シリンダ内に吸気流を形成して吸気と燃料とを混合する内燃機関であって、前記インジェクタが第一燃料噴射孔と少なくとも一対の第二燃料噴射孔とを有し、且つ、前記第一燃料噴射孔が前記点火プラグの着火点の近傍に燃料を噴射すると共に、一対の前記第二燃料噴射孔が前記点火プラグの着火点の直下を跨ぐ二方向であって前記シリンダ内の吸気流の接線方向かつ流れ方向に沿って燃料を噴射することを特徴とする。
【００１０】
この内燃機関では、（１）第一燃料噴射孔が点火プラグの着火点の近傍に燃料を噴射することより、着火点の近傍に弱成層混合気が形成される。これにより、点火プラグの近傍に濃い混合気が形成されてエンジンの点火遅角制御が良好に行われる。また、（２）一対の第二燃料噴射孔がシリンダ２内の吸気流の接線方向かつ流れ方向に沿って燃料を噴射するので、この燃料噴射により吸気流が増速される。これにより、吸気と燃料とが効果的に混合されて混合気の均一性が向上する。また、（３）一対の第二燃料噴射孔が点火プラグの着火点の直下を跨ぐ二方向に燃料を噴射する。したがって、シリンダ内の吸気流を増速させるために第二燃料噴射孔の燃料噴射の貫徹力が強く設定されているときに、着火点の直下では、第二燃料噴射孔による燃料噴射が行われない。これにより、着火点にて第一燃料噴射孔による弱成層混合気が適正に形成されるので、エンジンの点火遅角制御が適正に行われる。上記の（１）〜（３）の作用により、エンジンのＣＯ排出量、トルク変動特性および燃料消費量が向上する利点がある。
【００１１】
また、この発明にかかる内燃機関では、一対の前記第二燃料噴射孔の噴霧形状が、燃料の噴射方向に直交する平面の断面視にて、前記シリンダの径方向に延在する幅広な断面形状を有する。
【００１２】
この内燃機関では、一対の第二燃料噴射孔がハの字状に配置されている構成と比較して、より大きな吸気流がシリンダ内に形成される。これにより、吸気と燃料との混合が良好に行われて、混合気の均一性が向上する利点がある。
【００１３】
また、この発明にかかる内燃機関では、前記インジェクタが前記シリンダの側壁側に配置されて前記シリンダの中心方向に燃料を噴射する。
【００１４】
また、この内燃機関では、インジェクタが上記のような第一燃料噴射孔および一対の第二燃料噴射孔を有するときに、（１）第一燃料噴射孔の噴射領域を点火プラグの着火点の近傍に配置する構成、ならびに、（２）一対の第二燃料噴射孔の燃料噴射方向をシリンダ内の吸気流の接線方向に向けた構成が容易に実現される利点がある。
【００１５】
また、この発明にかかる内燃機関では、前記第二燃料噴射孔がスリット形状を有する。
【００１６】
この内燃機関では、第二燃料噴射孔が複数の孔から成る構成と比較して、スリット形状の噴射孔により幅広かつ帯状の噴霧が容易に形成される。したがって、この噴霧がシリンダ２内の吸気流に噴射されることにより、シリンダ内の吸気流が効果的に増速される。これにより、吸気と燃料とが効果的に混合されて混合気の均一性が向上する利点がある。
【００１７】
また、この発明にかかる内燃機関では、前記第二燃料噴射孔が配列された複数のピン孔により構成される。
【００１８】
この内燃機関では、第二燃料噴射孔がスリット形状を有する構成と比較して、貫徹力の強い噴霧が容易に形成される。したがって、この噴霧がシリンダ内の吸気流に噴射されることにより、シリンダ内の吸気流が効果的に増速される。これにより、吸気と燃料とが効果的に混合されて混合気の均一性が向上する利点がある。
【発明の効果】
【００１９】
この発明にかかる内燃機関では、（１）第一燃料噴射孔が点火プラグの着火点の近傍に燃料を噴射することより、着火点の近傍に弱成層混合気が形成される。これにより、点火プラグの近傍に濃い混合気が形成されてエンジンの点火遅角制御が良好に行われる。また、（２）一対の第二燃料噴射孔がシリンダ２内の吸気流の接線方向かつ流れ方向に沿って燃料を噴射するので、この燃料噴射により吸気流が増速される。これにより、吸気と燃料とが効果的に混合されて混合気の均一性が向上する。また、（３）一対の第二燃料噴射孔が点火プラグの着火点の直下を跨ぐ二方向に燃料を噴射する。したがって、シリンダ内の吸気流を増速させるために第二燃料噴射孔の燃料噴射の貫徹力が強く設定されているときに、着火点の直下では、第二燃料噴射孔による燃料噴射が行われない。これにより、着火点にて第一燃料噴射孔による弱成層混合気が適正に形成されるので、エンジンの点火遅角制御が適正に行われる。上記の（１）〜（３）の作用により、エンジンのＣＯ排出量、トルク変動特性および燃料消費量が向上する利点がある。
【発明を実施するための最良の形態】
【００２０】
以下、この発明につき図面を参照しつつ詳細に説明する。なお、この実施例によりこの発明が限定されるものではない。また、この実施例の構成要素には、当業者が置換可能かつ容易なもの、或いは実質的同一のものが含まれる。また、この実施例に記載された複数の変形例は、当業者自明の範囲内にて任意に組み合わせが可能である。
【実施例】
【００２１】
図１は、この発明の実施例にかかる内燃機関を示す断面図である。図２は、図１に記載した内燃機関のインジェクタの噴射孔を示す正面図である。図３〜図５は、図１に記載した内燃機関の作用を示す説明図である。図６は、図１に記載した内燃機関の変形例を示す説明図である。図７は、この発明の実施例にかかる内燃機関のインジュクタのＶ角を示す説明図である。図８〜図１０は、この発明の実施例にかかる内燃機関の性能試験の結果を示す試験結果図である。図１１は、この発明の実施例にかかる内燃機関の性能試験の試験条件を示す説明図である。
【００２２】
［内燃機関］
この内燃機関１は、筒内噴射式の４サイクルガソリンエンジンである。内燃機関１は、シリンダ（シリンダボア）２と、シリンダ２内に往復可能に収容されるピストン３と、シリンダ２に連結される吸気ポート４および排気ポート５と、吸気ポート４を開閉する吸気バルブ４１ならびに排気ポート５を開閉する排気バルブ５１と、シリンダ２（燃焼室）に燃料を噴射するインジェクタ６と、シリンダ２内の燃料に点火する点火プラグ７とを有する（図１参照）。
【００２３】
エンジン稼働時には、まず、ピストン３が下降すると共に吸気バルブ４１が開弁されて、吸気が吸気ポート４からシリンダ２（燃焼室）内に吸入される（吸気行程）。次に、ピストン３が上昇してシリンダ２内の吸気が圧縮される（圧縮行程）。次に、この吸気とインジェクタ６から噴射された燃料とがシリンダ２内にて混合されて混合気となる。次に、この混合気が点火プラグ７により点火されてシリンダ２内で燃焼し（燃焼行程）、その燃焼エネルギーによりピストン３が駆動されてシリンダ２内を往復運動する。そして、このピストン３の往復運動がクランクシャフト（図示省略）の回転運動に変換されて動力が発生する。その後に、ピストン３が上昇すると共に排気バルブ５１が開放されて、シリンダ２内の燃焼ガスが排気ポート５から外部に排出される（排気行程）。
【００２４】
［インジェクタ］
また、この内燃機関１は、吸気行程中にてシリンダ２内に吸気流（タンブル）を形成して吸気と燃料とを混合する構成を採用する（図１参照）。具体的には、インジェクタ６が吸気ポート４側のシリンダボアサイドに設置されてシリンダ２の中央に向けて燃料を噴射する。また、シリンダ２内には、正方向の吸気流（正タンブル）が形成される。すなわち、シリンダの軸方向断面視にて、シリンダ２の燃焼室内を吸気ポート４側から排気ポート５側に向かう吸気流が形成される。そして、インジェクタ６から噴射された燃料が吸気行程中の吸気流に乗るように、インジェクタ６が一方のシリンダボアサイドから対向するシリンダボアサイドに向けて燃料を噴射する（サイド噴射方式）。これにより、吸気と燃料との混合が良好に行われ、混合気の均質性が向上してエンジンの燃費率が向上する。
【００２５】
また、この内燃機関１では、インジェクタ６が第一燃料噴射孔６１と少なくとも一対の第二燃料噴射孔６２、６２とを有する（図２参照）。例えば、この実施例では、単孔から成る第一燃料噴射孔６１とスリット形状の第二燃料噴射孔６２、６２とがインジェクタ６の先端部（燃料噴射側の端部）に形成されている（図４参照）。また、インジェクタ６の正面視にて、一対の第二燃料噴射孔６２、６２がスリット形状の長手方向を直列に揃えて配置され（横二枚スリット構造）、これらの中間かつ側方に第一燃料噴射孔６１が配置される。
【００２６】
第一燃料噴射孔６１は、点火プラグ７の着火点の近傍（例えば、点火プラグ７の直下５［ｍｍ］）に燃料を噴射して弱成層混合気を形成する（図２および図５参照）。このため、この第一燃料噴射孔６１では、燃料噴射の貫徹力が十分に低く設定される。また、弱成層混合気によって点火遅角制御が成立する程度に、燃料噴射量が設定される。一般には、第一燃料噴射孔６１の燃料噴射量が第二燃料噴射孔６２の燃料噴射量よりも十分に少なく設定される。また、この第一燃料噴射孔６１は、吸気流の形成を阻害しないように、吸気流の渦中心から外れた領域に燃料を噴射する。なお、この第一燃料噴射孔６１による燃料噴射は、例えば、冷間始動時にて触媒を暖機するために用いられる。
【００２７】
第二燃料噴射孔６２、６２は、シリンダ２内の吸気流の接線方向かつ流れ方向に沿って燃料を噴射する（図２および図５参照）。例えば、第二燃料噴射孔６２、６２は、シリンダ２内に正方向の吸気流が形成されるときに、吸気流の渦中心に対して燃焼室側の接線方向かつ吸気流の流れ方向に沿って燃料を噴射する。この燃料噴射によって、シリンダ２内の吸気流が増速される。なお、この実施例では、この第二燃料噴射孔６２、６２の燃料噴射の貫徹力が高く設定されることにより、吸気流の増速効果が高められている。
【００２８】
また、一対の第二燃料噴射孔６２、６２は、点火プラグ７の着火点の直下を跨ぐ二方向に燃料を噴射する（図３および図４参照）。例えば、この実施例では、一対の第二燃料噴射孔６２、６２がシリンダ２の中心軸ｌを跨ぐ二方向に燃料を噴射する。すなわち、シリンダ２の径方向断面視にて、各第二燃料噴射孔６２、６２からの燃料がシリンダ２の中心軸ｌを左右（シリンダ２の径方向）に跨くようにＶ字状に噴射される。
【００２９】
この内燃機関１では、（１）第一燃料噴射孔６１が点火プラグ７の着火点の近傍に燃料を噴射することより、着火点の近傍に弱成層混合気が形成される（図５参照）。これにより、点火プラグ７の近傍に濃い混合気が形成されてエンジンの点火遅角制御が良好に行われる。また、（２）一対の第二燃料噴射孔６２、６２がシリンダ２内の吸気流の接線方向かつ流れ方向に沿って燃料を噴射するので、この燃料噴射により吸気流が増速される。これにより、吸気と燃料とが効果的に混合されて混合気の均一性が向上する。また、（３）一対の第二燃料噴射孔６２、６２が点火プラグ７の着火点の直下を跨ぐ二方向に燃料を噴射する。したがって、シリンダ２内の吸気流を増速させるために第二燃料噴射孔６２、６２の燃料噴射の貫徹力が強く設定されているときに、着火点の直下では、第二燃料噴射孔６２、６２による燃料噴射が行われない。これにより、着火点にて第一燃料噴射孔６１による弱成層混合気が適正に形成されるので、エンジンの点火遅角制御が適正に行われる。上記の（１）〜（３）の作用により、エンジンのＣＯ排出量、トルク変動特性および燃料消費量が向上する利点がある。
【００３０】
［付加的事項１］
なお、この内燃機関１では、一対の第二燃料噴射孔６２、６２の噴霧形状が、燃料の噴射方向に直交する平面の断面視にて、シリンダ２の径方向に延在する幅広な断面形状を有することが好ましい（図２および図３参照）。すなわち、一対の第二燃料噴射孔６２の噴霧形状がシリンダ２（燃焼室）の中央から側壁に向かって水平に延在するように、各第二燃料噴射孔６２、６２の開口形状が規定される（横二枚スリット噴霧形状）。かかる構成では、一対の第二燃料噴射孔がハの字状に配置されている構成（縦ダブル噴霧形状）と比較して、より大きな吸気流がシリンダ２内に形成される。これにより、吸気と燃料との混合が良好に行われて、混合気の均一性が向上する利点がある。
【００３１】
例えば、この実施例では、第二燃料噴射孔６２が直線状のスリット形状を有し、一対の第二燃料噴射孔６２、６２が同一直線上に直列に配置されている（図２参照）。また、一対の第二燃料噴射孔６２、６２の噴霧形状が燃料噴射方向に直交する平面の断面視にてシリンダ２の径方向に対して水平かつ直線的に延びるように、各第二燃料噴射孔６２、６２の開口形状が規定されている（図３参照）。
【００３２】
［付加的事項２］
また、この内燃機関１では、インジェクタ６がシリンダ２の側壁側（シリンダボアサイド）に配置されてシリンダ２の中心方向に燃料を噴射することが好ましい（図１参照）。すなわち、サイド噴射方式が採用される。かかる構成では、インジェクタ６が上記のような第一燃料噴射孔６１および一対の第二燃料噴射孔６２、６２を有するときに、（１）第一燃料噴射孔６１の噴射領域を点火プラグの着火点の近傍に配置する構成、ならびに、（２）一対の第二燃料噴射孔６２の燃料噴射方向をシリンダ２内の吸気流の接線方向に向けた構成が容易に実現される利点がある。例えば、インジェクタがシリンダの軸方向に配置される構成では、第一燃料噴射孔６１および第二燃料噴射孔６２の燃料噴射範囲を上記のように設定することが難しい。また、吸気ポート４および排気ポート５の設置スペースがインジェクタの配置によって減少するため、吸気量および排気量が縮小される問題点もある。
【００３３】
［付加的事項３］
また、この内燃機関１では、上記のように、第二燃料噴射孔６２、６２がスリット形状を有する（図４参照）。かかる構成では、第二燃料噴射孔が複数の孔から成る構成と比較して、スリット形状の噴射孔により幅広かつ帯状の噴霧が容易に形成される。したがって、この噴霧がシリンダ２内の吸気流に噴射されることにより、シリンダ内の吸気流が効果的に増速される。これにより、吸気と燃料とが効果的に混合されて混合気の均一性が向上する利点がある。
【００３４】
また、これに限らず、第二燃料噴射孔６２が配列された複数のピン孔により構成されても良い（図６参照）。かかる構成では、第二燃料噴射孔がスリット形状を有する構成と比較して、貫徹力の強い噴霧が容易に形成される。したがって、この噴霧がシリンダ２内の吸気流に噴射されることにより、シリンダ２内の吸気流が効果的に増速される。これにより、吸気と燃料とが効果的に混合されて混合気の均一性が向上する利点がある。
【００３５】
［性能試験］
この実施例では、インジェクタの配置構成が異なる複数種類の内燃機関について、エンジンのＣＯ排出量、トルク変動特性および燃料消費量に関する性能試験が行われた（図７〜図１１参照）。これらの性能試験では、エンジン回転数１２００［ｒｐｍ］、出力密度Ｐｍｅ０．６［ＭＰａ］および理論空燃比の試験条件下にて、第二燃料噴射孔の噴霧のＶ角［ｄｅｇ］が変更されて測定が行われる。なお、噴霧のＶ角とは、シリンダの中心軸ｌに対して垂直な平面ｍをとり、この平面ｍと第二燃料噴射孔の燃料噴射方向とのなす角により定義される（図１０参照）。また、噴霧のＶ角は、シリンダボアの寸法や吸気流の位置によって適宜規定される。
【００３６】
実施例の内燃機関１では、インジェクタ６がシリンダ２の側壁に配置されており（サイド噴射方式）、第一燃料噴射孔６１および一対の第二燃料噴射孔６２、６２を有する（図１および図２参照）。そして、一対の第二燃料噴射孔６２、６２が点火プラグ７の着火点の直下を跨ぐ二方向であってシリンダ２内の吸気流の接線方向かつ流れ方向に沿って燃料を噴射する（図３〜図５参照）。比較例の内燃機関では、インジェクタがシリンダの側壁に配置されている。また、インジェクタには、単一のスリットが形成され、このスリットから燃料が噴射される（図１１参照）。
【００３７】
試験結果に示すように、実施例の内燃機関１では、エンジンのＣＯ排出量、トルク変動特性および燃料消費量が比較例の内燃機関よりも優れることが分かる（図７〜図９参照）。また、第二燃料噴射孔６２の噴霧のＶ角が吸気流の接線方向に近づくと吸気流の増速作用が顕著になり、エンジン性能が向上することが分かる。
【産業上の利用可能性】
【００３８】
以上のように、本発明にかかる内燃機関は、ＣＯ排出量、トルク変動特性、燃料消費量などのエンジン性能を向上させ得る点で有用である。
【図面の簡単な説明】
【００３９】
【図１】この発明の実施例にかかる内燃機関を示す断面図である。
【図２】図１に記載した内燃機関のインジェクタの噴射孔を示す正面図である。
【図３】図１に記載した内燃機関の作用を示す作用説明図である。
【図４】図１に記載した内燃機関の作用を示す作用説明図である。
【図５】図１に記載した内燃機関の作用を示す作用説明図である。
【図６】図１に記載した内燃機関の変形例を示す説明図である。
【図７】この発明の実施例にかかる内燃機関のインジュクタのＶ角を示す説明図である。
【図８】この発明の実施例にかかる内燃機関の性能試験の結果を示す試験結果図である。
【図９】この発明の実施例にかかる内燃機関の性能試験の結果を示す試験結果図である。
【図１０】この発明の実施例にかかる内燃機関の性能試験の結果を示す試験結果図である。
【図１１】この発明の実施例にかかる内燃機関の性能試験の試験条件を示す説明図である。
【符号の説明】
【００４０】
１    内燃機関
２    シリンダ
３    ピストン
４    吸気ポート
４１  吸気バルブ
５    排気ポート
５１  排気バルブ
６    インジェクタ
７    点火プラグ
６１  第一燃料噴射孔
６２  第二燃料噴射孔
【図１】
2008169695.tif 000003
【図２】
2008169695.tif 000004
【図３】
2008169695.tif 000005
【図４】
2008169695.tif 000006
【図５】
2008169695.tif 000007
【図６】
2008169695.tif 000008
【図７】
2008169695.tif 000009
【図８】
2008169695.tif 000010
【図９】
2008169695.tif 000011
【図１０】
2008169695.tif 000012
【図１１】
2008169695.tif 000013